(57)【要約】【課題】気温の変化に伴って軒樋が伸縮した場合でも、排水性が損なわれることがない軒樋継手を提供する。【解決手段】軒樋の端部と接続される軒樋接続部１が伸縮部２の両端に連結されており、軒樋接続部１および伸縮部２はそれぞれ角溝形体よりなり、伸縮部２はその底部に伸縮部前コーナー部２４と伸縮部後コーナー部２５を備え、角溝形体に沿った山部および谷部が軒樋接続部１の連結方向にそれぞれ交互に連設されて蛇腹形状を有しており、その中央に位置する山部が、伸縮部２の伸縮部前コーナー部２４および伸縮部後コーナー部２５において他の山部よりも外側方向に突出して形成されていることとする。【選択図】図１
2008007976.tif 000002
【特許請求の範囲】
【請求項１】
軒樋の端部と接続される軒樋接続部が伸縮部の両端に連結されており、軒樋接続部および伸縮部は、それぞれ底面壁とその前端および後端に配設される前面壁と後面壁とから構成され、かつ、底面壁と前面壁とから形成される前コーナー部と底面壁と後面壁とから形成される後コーナー部を備えた角溝形体よりなり、伸縮部は、角溝形面に沿った山部および谷部が軒樋接続部の連結方向に連設され、少なくとも３つ以上の山部および谷部が軒樋接続部の連結方向にそれぞれ交互に連設されて蛇腹形状を有しており、その中央に位置する山部が、伸縮部の前コーナー部および後コーナー部において他の山部よりも外側方向に突出して形成されていることを特徴とする軒樋継手。
【請求項２】
伸縮部の前コーナー部および後コーナー部の内面側曲げ半径がそれぞれ軒樋接続部の前コーナー部および後コーナー部の内面側曲げ半径以下に形成されていることを特徴とする請求項１に記載の軒樋継手。
【発明の詳細な説明】
【技術分野】
【０００１】
本発明は、軒樋継手に関する。
【背景技術】
【０００２】
従来より、図７に示すように軒樋４を接続し得る軒樋接続部１を両端に間隔を隔てて配置すると共に両端の軒樋接続部１間を上記両端方向に伸縮自在な蛇腹状の伸縮部２にて連結し、この伸縮部２を覆うカバー体３を伸縮部２の外側を覆うように被せた軒樋継手が知られている（たとえば、特許文献１参照）。この軒樋継手は、太陽光による軒樋４の伸長あるいは気温低下による収縮等、気温の変化に伴う軒樋４の伸縮を伸縮自在な蛇腹状の伸縮部２にて吸収することができる。
【特許文献１】特開２００１−１５２６２４号公報
【発明の開示】
【発明が解決しようとする課題】
【０００３】
以上の軒樋継手は、軒樋４の伸縮を効果的に伸縮部２で吸収することができるものであったが、その後の検討により改善すべき点が見出された。すなわち、軒樋継手は軒樋４が伸長したときには蛇腹状の伸縮部２が圧縮されて軒樋の伸長を吸収するものであるが、図８（図７のＢ−Ｂ断面図）に示すように、その軒樋４の伸長に伴い軒樋接続部１を介して伸縮部２が内側方向に凹んでしまう場合があった。このような場合、軒樋を通じて排水される雨水等の排水流路がこの軒樋継手の伸縮部２の凹みによって阻害され、排水性が悪くなってしまう可能性があった。
【０００４】
本発明は、以上の通りの事情に鑑みてなされたものであり、気温の変化に伴って軒樋が伸縮した場合でも、排水性が損なわれることがない軒樋継手を提供することを課題とする。
【課題を解決するための手段】
【０００５】
本発明の軒樋継手は、上記の課題を解決するために、以下のことを特徴としている。
【０００６】
第１に、軒樋の端部と接続される軒樋接続部が伸縮部の両端に連結されており、軒樋接続部および伸縮部は、それぞれ底面壁とその前端および後端に配設される前面壁と後面壁とから構成され、かつ、底面壁と前面壁とから形成される前コーナー部と底面壁と後面壁とから形成される後コーナー部を備えた角溝形体よりなり、伸縮部は、角溝形面に沿った山部および谷部が軒樋接続部の連結方向に連設され、少なくとも３つ以上の山部および谷部が軒樋接続部の連結方向にそれぞれ交互に連設されて蛇腹形状を有しており、その中央に位置する山部が、伸縮部の前コーナー部および後コーナー部において他の山部よりも外側方向に突出して形成されていることを特徴とする。
【０００７】
第２に、上記軒樋継手において、伸縮部の前コーナー部および後コーナー部の内面側曲げ半径がそれぞれ軒樋接続部の前コーナー部および後コーナー部の内面側曲げ半径以下に形成されていることを特徴とする。
【発明の効果】
【０００８】
上記第１の発明によれば、伸縮部中央に位置する山部が伸縮部の前コーナー部および後コーナー部において他の山部よりも外側方向に突出して形成されているため、軒樋が伸長して伸縮部が圧縮された際には、その圧縮応力が外側方向に向かい易くなる。したがって、伸縮部は内側方向に凹むことなく外側方向に膨出することになり、結果として、雨水等の排水流路が確保され、安定した排水性を実現できる。
【０００９】
上記第２の発明によれば、伸縮部はさらに効果的に外側方向に膨出することになり、より一層確実に雨水等の排水流路が確保される。
【発明を実施するための最良の形態】
【００１０】
図１は、本発明の軒樋継手の一実施形態を示した斜視図である。図２は、図１の軒樋継手の断面図であり、図３（ａ）（ｂ）は、図１の軒樋継手のＡ−Ａ断面図である。図４は、図１の軒樋継手の前コーナー部の断面図である。
【００１１】
本発明の軒樋継手は、図１に示すように軒樋の端部と接続される軒樋接続部１が伸縮部２の両端に連結されている。
【００１２】
軒樋接続部１は、接続部底面壁１１と、その接続部底面壁１１の前端および後端からそれぞれ上方に屈曲延設してなる接続部前面壁１２および接続部後面壁１３とから構成され、角溝形体よりなる。ここで、図２に示すように接続部底面壁１１の前端にはこの接続部底面壁１１と接続部前面壁１２から形成される接続部前コーナー部１４が形成されており、接続部底面壁１１の後端にはこの接続部底面壁１１と接続部後面壁１３から形成される接続部後コーナー部１５が形成されている。また、接続部前面壁１２の上端部には外側方向に突設する断面コ字形状の軒樋前耳嵌合部１２１が設けられており、接続部後面壁１３の上端部にも外側方向に突設する断面コ字形状の軒樋後耳嵌合部１３１が設けられている。この軒樋接続部１は、その内面で軒樋の端部と嵌合させて接着剤を介して接続され、軒樋よりも一回り大きい形状を有している。軒樋接続部１の材質としては、塩化ビニル樹脂やアクリル樹脂等の合成樹脂が例示される。
【００１３】
伸縮部２についても、軒樋接続部１と同様、伸縮部底面壁２１と、その伸縮部底面壁２１の前端および後端からそれぞれ上方に屈曲延設してなる伸縮部前面壁２２および伸縮部後面壁２３とから構成される角溝形体よりなり、伸縮部底面壁２１の前端および後端にはそれぞれ伸縮部前コーナー部２４および伸縮部後コーナー部２５が形成されている。また、伸縮部２の両端部はそれぞれ軒樋接続部１の端部と端面全長にわたって接続されている。この伸縮部２は、角溝形面に沿った山部２ａおよび谷部２ｂが連設形成されており、図３（ａ）（ｂ）に示すように軒樋接続部１の連結方向に山部２ａと谷部２ｂがそれぞれ交互に連設形成されて蛇腹形状を有している。伸縮部２の材質としては、軟質塩化ビニル樹脂のような軟質合成樹脂やゴム等の弾性材が例示される。本発明における伸縮部２は伸縮自在とされており、太陽光によって軒樋が暖められて伸長したり、あるいは気温低下によって軒樋が収縮したりなど気温の変化に伴って軒樋が伸縮した場合には、軒樋の端部と接続される軒樋接続部１を介して伸縮部２も伸縮することになる。したがって、軒樋の伸縮が本発明の軒樋継手で吸収されることになる。
【００１４】
本発明は、伸縮部２の中央に位置する山部２ａが、図４に示すように伸縮部２の伸縮部前コーナー部２４において隣接する両端の山部２ａよりも外側方向に円弧状に突出して形成されている。伸縮部後コーナー部においても、図示しないが、伸縮部前コーナー部と同様に伸縮部の中央に位置する山部が隣接する両端の山部よりも外側方向に円弧状に突出して形成されている。このように、山部が外側方向に突出して形成されている場合、軒樋が伸長して伸縮部が圧縮された際にはその圧縮応力が外側方向に向かい易くなる。たとえば、図３（ｂ）に示すように、軒樋の伸長による伸縮部２の圧縮に伴い、中央に位置する山部２ａが徐々に外側方向に押し出され、結果として、伸縮部２が外側方向に膨出することになる。したがって、伸縮部２は凹みを生じることなく雨水等の排水流路が確実に確保され、安定した排水性を実現できる。
【００１５】
伸縮部２の中央に位置する山部２ａの外側方向への突出度合いは、この伸縮部２が圧縮された際にその圧縮応力が外側方向に向かう程度であれば特に制限されるものではないが、たとえば、最大で０．５〜２．０ｍｍ、好ましくは０．８〜１．２ｍｍ程度突出するように形成されることが考慮される。
【００１６】
また、伸縮部２の伸縮部前コーナー部２４において、伸縮部２の中央に位置する山部２ａの外面側半径ＲＣ、すなわち、伸縮部２の伸縮部底面壁２１とその前端から屈曲延設されてなる伸縮部前面壁２２とで形成される外面側曲げ半径ＲＣの値はＲ９（ここで「Ｒ９」とはＪＩＳ機械製図に従う表記であって、「Ｒ」は半径を表す記号であり、「９」は半径の寸法数値を表しその単位はｍｍである。以下、同様とする。）程度であり、その中央に位置する山部２ａに隣接する両端の山部２ａの外面側曲げ半径ＲＣの値はＲ１２程度であることが考慮される。なお、従来の軒樋継手における伸縮部の山部の外面側曲げ半径の値は、一般的にはいずれもＲ１２程度である。これらの数値は一例であり、いずれの数値も軒樋の形状によって適宜に設定されるものであり、特に限定されるものではない。もちろん、図示しないが、伸縮部の伸縮部後コーナー部の外面側曲げ半径についても同様のことが考慮される。
【００１７】
以上の実施形態では、伸縮部において３つの山部が形成されているが、これに限定されるものではなく、たとえば山部の数が４つあるいはそれ以上あってもよい。山部が４つ形成されている場合には、端から数えて２つ目と３つ目の山部が伸縮部の中央に位置する山部であり、これら双方の山部が外側方向に突出して形成されることが考慮される。
【００１８】
図５は、本発明の軒樋継手の一実施形態を示した前コーナー部の断面図である。なお、図１〜図４に示した部分と同一の部分については同じ符号を付し、説明を省略する。
【００１９】
この実施形態では、伸縮部２の伸縮部前コーナー部２４の内面側曲げ半径が軒樋接続部１の接続部前コーナー部１４の内面側曲げ半径以下に形成されている。すなわち、伸縮部２の伸縮部底面壁２１とその前端から屈曲延設されてなる伸縮部前面壁２２とで形成される内面側曲げ半径ＲＡが、軒樋接続部１の接続部底面壁１１とその前端から屈曲延設されてなる接続部前面壁１２とで形成される内面側曲げ半径ＲＢ（図４参照）と同程度に形成されているが、それより小さく形成されていてもよい。それぞれの内面側曲げ半径ＲＡ、ＲＢの値は、軒樋の形状によって適宜に設定され特に限定されるものではないが、たとえば、ＲＢの値がＲ３の場合には、ＲＡの値はＲ３であるか、あるいはそれ以下になるように形成されることが好ましい。なお、従来の軒樋継手の伸縮部の内面側曲げ半径ＲＡ、ＲＢの値は、それぞれ一般的にはＲ６、Ｒ３程度であり、ＲＡがＲＢよりも大きくなるように形成されていた。本発明では、ＲＡがＲＢと同程度であるか、あるいはそれよりも小さくなるように形成することで、軒樋の伸長により伸縮部が圧縮された場合には、伸縮部前コーナー部の伸縮部が外側方向に膨出し易くなる。したがって、より一層確実に雨水等の排水流路が確保され、安定した排水性を実現できる。もちろん、図示しないが、伸縮部の伸縮部後コーナー部の内面側曲げ半径および軒樋接続部の接続部後コーナー部の内面側曲げ半径についても同様のことが考慮される。
【００２０】
図６は、本発明の軒樋継手の一実施形態を示した斜視図である。なお、図１〜図５に示した部分と同一の部分については同じ符号を付し、説明を省略する。
【００２１】
この実施形態では、伸縮部２を覆い隠すようにカバー体３が設けられている。このカバー体３はスライド自在とされており、伸縮部２が最大に伸長した場合でも伸縮部２全体を覆い隠すようにしている。これによって、外側から伸縮部２を確実に見えなくし、軒樋の外観を損なわないようにしている。また、カバー体３で伸縮部２および軒樋接続部１の全体を覆い隠すようにして、外側からカバー体３のみが見えるようにしてもよい。この場合には、軒樋に一体感を与えて外観をきれいに仕上げることができる。
【図面の簡単な説明】
【００２２】
【図１】本発明の軒樋継手の斜視図である。
【図２】図１の軒樋継手の断面図である。
【図３】（ａ）（ｂ）は図１の軒樋継手のＡ−Ａ断面図である。
【図４】図１の軒樋継手の後コーナー部の断面図である。
【図５】本発明の別の実施形態示した軒樋継手の前コーナー部の断面図である。
【図６】さらに別の実施形態を示した軒樋継手の斜視図である。
【図７】従来の軒樋継手の側面断面図である。
【図８】図７の軒樋継手のＢ−Ｂ断面図である。
【符号の説明】
【００２３】
１  軒樋接続部
１１  接続部底面壁
１２  接続部前面壁
１３  接続部後面壁
１４  接続部前コーナー部
１５  接続部後コーナー部
２  伸縮部
２１  伸縮部底面壁
２２  伸縮部前面壁
２３  伸縮部後面壁
２４  伸縮部前コーナー部
２５  伸縮部後コーナー部
２ａ  山部
２ｂ  谷部
【図１】
2008007976.tif 000003
【図３】
2008007976.tif 000004
【図４】
2008007976.tif 000005
【図５】
2008007976.tif 000006
【図６】
2008007976.tif 000007
【図８】
2008007976.tif 000008
【図２】
2008007976.tif 000009
【図７】
2008007976.tif 000010